(57)【要約】【課題】活性炭でおならの臭いを十分に吸収することができる消臭パンツを提供する。【解決手段】気密性を備えた布地３からなるパンツ１の脚部の開口部９Ａの縁部、及びウエストの開口部９Ｂの縁部に、マジックテープ１１（登録商標）又はゴム紐を設けて、これらの縁部を身体に密着させる。また、パンツ１を装着する者の背中の凹み１７に対応する位置に閉塞パッド１９を配置し、この凹み１７を閉塞する。さらに、パンツ１の縫い目５には、粘着テープを貼り付ける。このようにして、パンツ１の装着者の身体とパンツ１との間に形成される隙間は、形状的な機密性が高まる。この隙間の中、すなわちパンツ１の中に閉じ込めたおならの臭いは、パンツ１の内の不織布の袋１３に保持される活性炭により吸着される。【選択図】図1
2005281928.tif 000002
【特許請求の範囲】
【請求項１】
気密性を備えた布地からなるパンツと、このパンツの脚部の開口部の縁部、及びウエストの開口部の縁部に設けられたマジックテープ（登録商標）又はゴム紐と、前記パンツの内面に配置される不織布の袋に保持される活性炭と、前記パンツの縫い目に貼り付けられている目貼テープと、前記パンツを装着する者の背中の凹みに対応する位置に配置され、この凹みを閉塞するための閉塞パッドと、を有することを特徴とする消臭パンツ。
【請求項２】
前記閉塞パッドは、スポンジ又はシリコン粘着素材を材料として、前記パンツと背中の凹みの間で形成される形状に対応して、形成されることを特徴とする請求項１に記載の消臭パンツ。
【請求項３】
前記閉塞パッドを背中の凹みに対応する位置に固定する固定手段として、前記パンツの内側に取り付けられる横向きの布製の円筒体あるいは上向のポケットを設け、前記閉塞パッドを挿入することを特徴とする請求項１、又は２に記載の消臭パンツ。
【請求項４】
前記閉塞パッドを背中の凹みに対応する位置に固定する固定手段として、前記パンツの内側あるいは外側に装着するウエストベルトの内側に、横向きの布製の円筒体あるいは上向のポケットを設け、前記閉塞パッドを挿入することを特徴とする請求項１、又は２に記載の消臭パンツ。
【請求項５】
前記パンツは、腰から下に装着されて３分丈、５分丈、又は足首丈の寸法を有し、あるいはサスペンダーを備えて胸から下に装着されて３分丈、５分丈、又は足首丈の寸法を有することを特徴とする請求項１、２、又は３に記載の消臭パンツ。
【発明の詳細な説明】
【技術分野】
【０００１】
この発明は、おならの臭い等を消すことができる消臭パンツの構造に関する。
【背景技術】
【０００２】
例えば、ある種の疾患によっておならがたくさん出る悩みを抱える人たちがいる。このような人たちにとって、おならの臭いの心配無しに生活できることは、大きな希望である。
従来のおならの臭いを消すことを目的とした技術には、下記の特許文献１に示すように、パンツなどの下着に装着するパッドがある。このパッドには、消臭用の活性炭が入っている。
【特許文献１】特開２０００−１７５９６３  また、販売されている商品として、パンツに消臭用のフィルターがついたものや、パンツの布地を、消臭効果のある薬品がしみこんだ繊維からなるニット製品で構成したものがある。
【発明の開示】
【発明が解決しようとする課題】
【０００３】
しかしながら、以上の技術によれば、単なるパッドでは、おならの臭いが下着を通って外部に放出される短い間に、パッドの活性炭がおならの臭いを十分に吸収することはできない。
また、以上の販売されているパンツは、おならの臭いが、パンツの脚部の開口部の縁部、及びウエストの開口部の縁部から外部に漏れてしまうので、十分な効果が期待できなかった。特に、ウエストの開口部の縁部のうち、パンツと装着者の背中の凹みとの間に形成される大きな隙間からに外部に漏れてしまうので、大きな効果は望めなかった。
このような課題は、おならの臭いだけではなく、尿臭、女性のおりもの臭、便臭についても、存在していた。  そこで、この発明は、活性炭がおならやその他の不愉快な臭いを十分に吸収することができ、外部に臭いを漏らさない消臭パンツを提供することを課題とする。
【課題を解決するための手段】
【０００４】
以上の課題を解決するために、第一発明は、気密性を備えた布地からなるパンツと、このパンツの脚部の開口部の縁部、及びウエストの開口部の縁部に設けられたマジックテープ（登録商標）又はゴム紐と、前記パンツの内面に配置される不織布の袋に保持される活性炭と、前記パンツの縫い目に貼り付けられている目貼テープと、前記パンツを装着する者の背中の凹みに対応する位置に配置され、この凹みを閉塞するための閉塞パッドと、を有することを特徴とする消臭パンツである。
第二発明は、更に、前記閉塞パッドは、スポンジ又はシリコン粘着素材を材料として、前記パンツと背中の凹みの間で形成される形状に対応して、形成されることを特徴とする消臭パンツである。
第三発明は、更に、前記閉塞パッドを背中の凹みに対応する位置に固定する固定手段として、前記パンツの内側に取り付けられる横向きの布製の円筒体あるいは上向のポケットを設け、前記閉塞パッドを挿入することを特徴とする消臭パンツである。
第四発明は、更に、前記閉塞パッドを背中の凹みに対応する位置に固定する固定手段として、前記パンツの内側あるいは外側に装着するウエストベルトの内側に、横向きの布製の円筒体あるいは上向のポケットを設け、前記閉塞パッドを挿入することを特徴とする消臭パンツである。
第五発明は、更に、前記パンツは、腰から下に装着されて３分丈、５分丈、又は足首丈の寸法を有し、あるいはサスペンダーを備えて胸から下に装着されて３分丈、５分丈、又は足首丈の寸法を有することを特徴とする消臭パンツである。
【発明の効果】
【０００５】
第一発明、第二発明、第三発明、第四発明、または第五発明によれば、パンツの装着者の身体とパンツとの間に形成される隙間は、パンツの開口部に設けられたマジックテープ（登録商標）やゴム紐、、縫い目に貼り付けられている粘着テープ、及び背中の凹みを閉塞するための閉塞パッドによって、形状的な機密性が高まる。よって、おならは、この隙間、すなわちパンツの中に閉じ込められる時間が長くなり、よって、活性炭がおならの臭いを十分に吸収することができ、同時に、外部に臭いを漏らさないようにできる。
【０００６】
また、第二発明、第三発明、第四発明、または第五発明によれば、さらに、閉塞パッドは、ゴムスポンジ又はシリコン粘着素材を材料として、パンツと背中の凹みの間で形成される形状に対応して形成するので、背中の凹みを十分に閉塞でき、よって、形状的な機密性がより高まる。
【発明を実施するための最良の形態】
【０００７】
この発明の実施形態を、図１及び図２に示す。
この実施形態のパンツ１の布地３は、気密性を備えた布地３であり、例えば、ナイロン糸を使った、トリコットハーフの組織の生地を、染色し、ラミネート加工したものがある。あるいは、東洋クロス株式会社の商品名セシーナピュアである。ここでいう気密性は、防風性や防水性を備えているといわれる生地も有する。
【０００８】
パンツ１の布地３の展開状態は、少ない縫付部分で済む展開図にすることで、おならの臭いが漏れる可能性を小さくする。この縫い目５（ミシン目）に沿って、防水、防風用の目貼テープ７、例えば、日清紡のシーリングテープが貼り付けられる。少ない縫付部分で済む展開図にすることで、おならの臭いが漏れる可能性を小さくする。
このパンツ１の脚部の開口部９Ａの縁部と、ウエストの開口部９Ｂの縁部には、それぞれ開口部９の周方向を絞れるように、左右の位置に、マジックテープ（登録商標）１１Ａ、１１Ｂが周方向に向かって設けられる。
【０００９】
パンツ１内には、股の部分から後方にかけた広い部分を覆う不織布の袋１３が配置される。この袋１３に、活性炭シート１５が保持される。活性炭シート１５は例えば、旭化成株式会社の商品名セミアＳ−３と呼ばれる、不織布の中に細かな活性炭の粒が含まれているものである。活性炭の粒は、不織布の中から外にこぼれ落ちることがあるが、こぼれ落ちた粒は、目の細かな不織布の袋１３に受け止められ、パンツ１の中にこぼれることがない。
【００１０】
パンツ１の腰の内側位置で、身体１６の背中の中央に続く部位には、この背中の凹み１７を閉塞するための閉塞パッド１９が配置される。この閉塞パッド１９は、ゴムスポンジを材料として、パンツ１と装着者の背中の凹み１７の間で形成される形状に対応して、山形断面に形成される。この山形の寸法は、例えば、高さは４ｃｍ、周方向の長さは２０ｃｍである。閉塞パッド１９の上下方向の寸法は、例えば１０ｃｍである。
【００１１】
そして、閉塞パッド１９を背中の凹みに対応する位置に配置し固定する固定手段として、パンツ１の背中の凹みに対応する位置に、横向きの薄い布製の円筒体２１を縫い付ける。この円筒体２１に対し横方向から、閉塞パッド１９を挿入する。薄い布製とすることで、閉塞パッド１９の山形断面の形状を変形させないようにする。
パンツ１の腰の外側には、ウエストベルト２３が配置される。このウエストベルト２３は、全体が帯状のゴム製あるいはたの伸縮性のある素材製で、両端部には、マジックテープ（登録商標）１１Ｃが設けられる。
【００１２】
「パンツの装着方法」
図２に示すように、装着者は、例えば通常の肌着を着けた上から、この実施形態のパンツ１を装着し、脚部とウエストのマジックテープ（登録商標）１１Ａ、１１Ｂを引っ張り、それぞれ開口部９Ａ，９Ｂの周方向を絞るようにして、マジックテープ（登録商標）１１Ａ、１１Ｂの雄部ａと雌部ｂを貼り付ける。そして、パンツ１の腰の外側から、ウエストベルト２３をきつめに巻き、両端をマジックテープ（登録商標）１１Ｃで止める。
【００１３】
「実施形態の効果」
この実施形態のパンツ１によれば、パンツ１の開口部９に設けられたマジックテープ（登録商標）１１、及び背中の凹み１７を閉塞するための閉塞パッド１９によって、これらの開口部９における身体１６とパンツ１の密着性が高まる。また、ウエストベルトにより、この密着性はより向上する。また、気密性を備えた布地３や、縫い目５に貼り付けられているめ目貼りテープ７により、さらにパンツ１本体の気密性が高まる。よって、パンツ１の装着者の身体１６とパンツ１との間に形成される隙間全体の機密性が高まる。従って、おならは、この隙間の中、すなわちパンツ１の中に閉じ込められる時間が長くなる。従って、活性炭がおならの臭いを十分に吸収することができ、同時に、外部に臭いを漏らさないようにできる。
【００１４】
更に、活性炭シート１５からこぼれ落ちた活性炭の粒は、目の細かな不織布の袋１３に受け止められ、パンツ１の中にこぼれることがない。活性炭シート１５をパンツ１に形成されたポケットに保持させる場合に比べ、ポケットの中が活性炭の粒で汚れ、洗濯し難いなどの不都合がない。活性炭シート１５を不織布の袋１３ごと取り替えることができ、便利である。
【００１５】
「他の実施形態」
以上の実施形態では、閉塞パッド１９の固定手段として、パンツ１の内側に取り付けられる横向きの布製の円筒体２１を設け閉塞パッド１９を横方向から挿入するものであったが、他の実施形態では、パンツ１の内側に取り付けられる上向のポケットを設け、閉塞パッド１９を上方向から挿入することもできる。
【００１６】
また、以上の円筒体２１やポケットをパンツ１の内側に設けるのではなく、パンツ１の内側あるいは外側に装着するウエストベルト２３に設けてもよい（図３）。ウエストベルト２３に設けることで、装着者が椅子に座るのなどしたときにパンツ１が下にずれても、ウエストベルト２３はずれにくいので、閉塞パッド１９はずれずに済む。
【００１７】
以上の実施形態では、閉塞パッド１９の固定手段として、円筒体２１やポケットを設けたが、他の実施形態では、図４に示すように、パンツ１に取り付ける両面テープ２２を設けてもよい。また、閉塞パッド１９をパンツ１に取り付けるためには、必ずしも両面テープ２２ではなく、始めからパンツの内側に融着などの方法で、図５に示すように外れないように取り付けることもできる。
【００１８】
また、単に閉塞パッド１９をパンツ１と身体１６の間にはさみ、特別の固定手段を設けないものとすることもできる。  
以上の実施形態では、脚部の開口部９Ａの縁部が膝の上部に位置する５部丈パンツを例に説明するものであったが、他の実施形態では、例えば図４に示すように、３分丈パンツとし、脚部の開口部９Ａの縁部が腿のところに位置するものとすることができる。又は、図５に示すように足首丈パンツとすることもできる。
【００１９】
さらには、図６に示すように、サスペンダー２５を備えて胸から下に装着されての５分丈パンツとすることもできる。図示しないものの、サスペンダー２５を備えて胸から下に装着されての３分丈、又は足首丈のパンツ１とすることもできる。これにより、おならを閉じ込める隙間が、腰周りだけでなく胸周りにも存在でき、閉じ込める容積を大きくでき、したがって、おならを閉じ込められる時間を更に長くでき、臭いをより十分に吸収することができる。この場合に、ウエストの開口部９Ｂの縁部に取り付けられたサスペンダー２５で、パンツ１がずり落ちるのを防止することができる。
【００２０】
以上の実施形態では、パンツ１の脚部の開口部９の縁部と、ウエストの開口部９Ｂの縁部には、マジックテープ（登録商標）１１が用いられるものであったが、他の実施形態では、アウトサイドゴムと呼ばれる、外側に縫い付けられた幅広のゴム紐を用いることもできる。
【００２１】
以上の実施形態では、閉塞パッド１９をゴムスポンジ材料で製作する際に山形形状を一体的に成形したが、他の実施形態では、山形形状は、周方向の長さが異なる複数の帯状のスポンジを複数段に重ねて接着して成形することも可能である。この場合に、装着者の身体の大きさなどに合わせて、山形形状の大きさを変えることができる。
【００２２】
以上の実施形態では、閉塞パッド１９は、ゴムスポンジを材料としたが、他の実施形態では、ヌーブラ（商品名）などに使用されるシリコン粘着素材を材料とすることができる。この場合に、例えば外部表面をポリウレタン樹脂とし、内部をシリコン樹脂とすることが考えられる。
このような粘着素材を用いれば、サージカルテープ同様に皮膚に直接に貼ることができるため、より一層、閉塞パッド１９と身体１６との隙間を無くすことができる。
また、シリコン粘着素材を材料とする場合に、シリコン粘着素材からなる閉塞パッド１９の両端を一体的にベルト状に延長し、身体の周りを取り囲むこともできる。
【００２３】
以上の実施形態では、ウエストベルト２３で腰の部分を密着させるものであったが、他の実施形態では、図４、図５のようにウエストベルト２３を用いないものとすることもできる。
【００２４】
以上の実施形態では、腰の部分でパンツ１の上からゴム製のウエストベルト２３を用いたが、他の実施形態では、パンツ１の腰の部分で身体１６との間に、極太幅（6センチ幅くらい）の粘着性のサージカルテープを、一周してぐるりと貼り付け、パンツ１と身体１６との隙間を完全に無くしても良い。
以上の実施形態では、パンツ１内に配置される不織布の袋１３に活性炭シート１５が保持されるものであったが、この配置は、不織布の袋１３を両面テープでパンツ１に貼り付けることでもできるし、また、肌着の上または下にに両面テープで貼り付けることもできる。また、通常の肌着の上に編みタイツなどの弾力のあるものを身につけ、その中に入れて保持してもよい。
【００２５】
なお、他の実施形態では、マジックテープ１１Ａと同様のものを脚部の開口部だけではなく、腿の部分にも設けることができ、これによりパンツ１と身体の隙間の容量を調整できる。この隙間の容量は、おならを閉じ込めるには大きなほうがいいが、おならの音や衣擦れの音を減らすには小さくして、布地を身体にフィットさせたほうがいい。よって、場合によって隙間の容量を調整し、両方の要求を満たすことができる。
また、気密性を備えた布地は内部が蒸れやすいので、脱湿（除湿）シートをパンツ１内部に設けることもよい。
【図面の簡単な説明】
【００２６】
【図１】この発明の一実施形態に係るパンツを示すもので（Ａ）は分解して示す斜視図（Ｂ）は（Ａ）の平面図である。
【図２】図１のパンツの使用状態をしめすもので、（Ａ）は斜め後方から示す斜視図（Ｂ）は（Ａ）の部分横断面図である。
【図３】この発明の他の実施形態に係るパンツに使用するウエストベルトの斜視図である。
【図４】この発明の他の実施形態に係るパンツを示すもので、３分丈パンツとした分解斜視図である。
【図５】この発明のさらなる他の実施形態に係るパンツを示すもので、足首丈のパンツとした斜視図である。
【図６】この発明のさらなる他の実施形態に係るパンツを示すもので、サスペンダーを備えて胸から下に装着されての５分丈パンツ背面図である。
【符号の説明】
【００２７】
１…パンツ、３…布地、５…目、７…目貼テープ、９…開口部、１１…マジックテープ（登録商標）、１３…袋、１５…活性炭シート、１７…凹み、１９…閉塞パッド、２１・・・円筒体、２２…両面テープ、２３…ウエストベルト。
【図１】
2005281928.tif 000003
【図２】
2005281928.tif 000004
【図３】
2005281928.tif 000005
【図４】
2005281928.tif 000006
【図５】
2005281928.tif 000007
【図６】
2005281928.tif 000008